(57)【特許請求の範囲】
【請求項１】
携帯端末からの要求に応じてネットワーク上に公開されているページを受信する受信手段と、
この受信手段により受信したページのデータから上記携帯端末へ送信するデータのみを抽出する抽出手段と、
この抽出手段により抽出したデータを上記携帯端末へ転送する転送手段と、
上記携帯端末から上記受信手段により受信したページの保管が指示された場合、上記ページのデータを予め設定されている保管先に保管させる制御手段と、
を具備することを特徴とするゲートウエイ装置。
【請求項２】
携帯端末からのネットワーク上のリンク先を示す情報に応じてネットワーク上に公開されているページを受信する受信手段と、
この受信手段により受信したページのデータから上記携帯端末へ送信するデータのみを抽出する抽出手段と、
この抽出手段により抽出したデータを上記携帯端末へ転送する転送手段と、
上記携帯端末から上記受信手段により受信したページの保管が指示された場合、上記ページのデータと、上記ページのリンク先を示す情報とを予め設定されている保管先に保管させる制御手段と、
を具備することを特徴とするゲートウエイ装置。
【請求項３】
携帯端末からのネットワーク上のリンク先を示す情報に応じてネットワーク上に公開されているページを受信する受信手段と、
この受信手段により受信したページのデータから上記携帯端末へ送信するデータのみを抽出する抽出手段と、
この抽出手段により抽出したデータを上記携帯端末へ転送する転送手段と、
上記携帯端末から上記受信手段により受信したページの保管が指示された場合、上記ページのデータを所定のサイズに収まるように最適化する処理手段と、
この処理手段により最適化されたページのデータと、上記ページのリンク先を示す情報とを予め設定されている保管先に保管させる制御手段と、
を具備することを特徴とするゲートウエイ装置。
【請求項４】
携帯端末と接続する機能とネットワークと接続する機能とを有する第１の装置と、この第１の装置とのデータ通信が可能な第２の装置とを有するネットワークシステムにおいて、
上記第１の装置は、
上記携帯端末からの要求に応じてネットワーク上に公開されているページを受信する受信手段と、
この受信手段により受信したページのデータから上記携帯端末へ送信するデータのみを抽出する抽出手段と、
この抽出手段により抽出したデータを上記携帯端末へ転送する転送手段と、
上記携帯端末から上記受信手段により受信したページの保管が指示された場合、予め設定されている保管先を指定するとともに、上記ページのデータを上記第２の装置へ送信する送信手段とを具備し、
上記第２の装置は、
上記送信手段により上記第１の装置から送信されたページのデータを受信した際に、上記第１の装置により指定された保管先に上記ページのデータを保管する保管手段を具備する、
ことを特徴とするネットワークシステム。
【請求項５】
携帯端末と接続する機能とネットワークと接続する機能とを有する第１の装置と、この第１の装置とのデータ通信が可能な第２の装置とを有するネットワークシステムにおいて、
上記第１の装置は、
上記携帯端末からのネットワーク上のリンク先を示す情報に応じてネットワーク上に公開されているページを受信する受信手段と、
この受信手段により受信したページのデータから上記携帯端末へ送信するデータのみを抽出する抽出手段と、
この抽出手段により抽出したデータを上記携帯端末へ転送する転送手段と、
上記携帯端末から上記受信手段により受信したページの保管が指示された場合、予め設定されている保管先を指定するとともに、上記ページのデータと、上記ページのリンク先を示す情報とを上記第２の装置へ送信する送信手段とを具備し、
上記第２の装置は、
上記送信手段により上記第１の装置から送信されたページのデータとページのリンク先を示す情報とを受信した際に、上記第１の装置により指定された保管先に上記ページのデータとページのリンク先を示す情報とを保管する保管手段を具備する、
ことを特徴とするネットワークシステム。
【請求項６】
携帯端末と接続する機能とネットワークと接続する機能とを有する第１の装置と、この第１の装置とのデータ通信が可能な第２の装置とを有するネットワークシステムにおいて、
上記第１の装置は、
上記携帯端末からのネットワーク上のリンク先を示す情報に応じてネットワーク上に公開されているページを受信する受信手段と、
この受信手段により受信したページのデータから上記携帯端末へ送信するデータのみを抽出する抽出手段と、
この抽出手段により抽出したデータを上記携帯端末へ転送する転送手段と、
上記携帯端末から上記受信手段により受信したページの保管が指示された場合、上記ページのデータを所定のサイズに収まるように最適化する処理手段と、
この処理手段により最適化されたページのデータと、上記ページのリンク先を示す情報とを、予め設定されている保管先を指定するとともに、上記第２の装置へ送信する送信手段とを具備し、
上記第２の装置は、
上記送信手段により上記第１の装置から送信された上記処理手段により最適化されたページのデータとページのリンク先を示す情報とを受信した際に、上記第１の装置により指定された保管先に上記ページのデータとページのリンク先を示す情報とを保管する保管手段を具備する、
ことを特徴とするネットワークシステム。
【請求項７】
携帯端末と接続する機能とネットワークと接続する機能とを有する第１の装置と、この第１の装置とのデータ通信が可能な第２の装置と、上記第１の装置あるいは上記第２の装置と接続されている画像形成装置とを有するネットワークシステムにおいて、
上記第１の装置は、
上記携帯端末からの要求に応じてネットワーク上に公開されているページを受信する受信手段と、
この受信手段により受信したページのデータから上記携帯端末へ送信するデータのみを抽出する抽出手段と、
この抽出手段により抽出したデータを上記携帯端末へ転送する転送手段と、
上記携帯端末から上記受信手段により受信したページの保管が指示された場合、予め設定されている保管先を指定するとともに、上記ページのデータを上記第２の装置へ送信する送信手段とを具備し、
上記第２の装置は、
上記送信手段により上記第１の装置から送信されたページのデータを受信した際に、上記第１の装置により指定された保管先に上記ページのデータを保管する保管手段を具備し、
上記画像形成装置は、
上記第２の装置に保管されているページのデータを読み出して被画像形成媒体上に画像形成する画像形成手段を具備する、
ことを特徴とするネットワークシステム。
【請求項８】
携帯端末と接続する機能とネットワークと接続する機能とを有する第１の装置と、この第１の装置とのデータ通信が可能な第２の装置と、上記第１の装置あるいは上記第２の装置と接続されている画像形成装置とを有するネットワークシステムにおいて、
上記第１の装置は、
上記携帯端末からのネットワーク上のリンク先を示す情報に応じてネットワーク上に公開されているページを受信する受信手段と、
この受信手段により受信したページのデータから上記携帯端末へ送信するデータのみを抽出する抽出手段と、
この抽出手段により抽出したデータを上記携帯端末へ転送する転送手段と、
上記携帯端末から上記受信手段により受信したページの保管が指示された場合、予め設定されている保管先を指定するとともに、上記ページのデータと、上記ページのリンク先を示す情報とを上記第２の装置へ送信する送信手段と、を具備し、
上記第２の装置は、
上記送信手段により上記第１の装置から送信されたページのデータとページのリンク先を示す情報とを受信した際に、上記第１の装置により指定された保管先に上記ページのデータとページのリンク先を示す情報とを保管する保管手段を具備し、
上記画像形成装置は、
上記第２の装置に保管されているページのデータ、あるいはリンク先のページにおける現在のページを選択する選択手段と、
この選択手段により上記第２の装置に保管されているページのデータが選択された場合に、上記第２の装置に保管されているページのデータを読み出して被画像形成媒体上に画像形成する第１の画像形成手段と、
上記選択手段により上記第２の装置に保管されているリンク先のページにおける現在のページが選択された場合に、上記第２の装置から保管されているリンク先を示す情報に基づいて、上記ネットワーク上に公開されているページのデータを取り込んで被画像形成媒体上に画像形成する第２の画像形成手段と、を具備する、
ことを特徴とするネットワークシステム。
【請求項９】
携帯端末と接続する機能とネットワークと接続する機能とを有する第１の装置と、この第１の装置とのデータ通信が可能な第２の装置と、上記第１の装置あるいは上記第２の装置と接続されている画像形成装置とを有するネットワークシステムにおいて、
上記第１の装置は、
上記携帯端末からのネットワーク上のリンク先を示す情報に応じてネットワーク上に公開されているページを受信する受信手段と、
この受信手段により受信したページのデータから上記携帯端末へ送信するデータのみを抽出する抽出手段と、
この抽出手段により抽出したデータを上記携帯端末へ転送する転送手段と、
上記受信手段により受信したページのデータを所定のサイズに収まるように最適化する処理手段と、
上記携帯端末から上記受信手段により受信したページの保管が指示された場合、上記処理手段により最適化されたページのデータと、上記ページのリンク先を示す情報とを、予め設定されている保管先を指定するとともに、上記第２の装置へ送信する送信手段と、を具備し、
上記第２の装置は、
上記送信手段により上記第１の装置から送信された上記処理手段により最適化されたページのデータとページのリンク先を示す情報とを受信した際に、上記第１の装置により指定された保管先に上記ページのデータとページのリンク先を示す情報とを保管する保管手段を具備し、
上記画像形成装置は、
上記第２の装置に保管されているページのデータ、あるいはリンク先のページにおける現在のページを選択する選択手段と、
この選択手段により上記第２の装置に保管されているページのデータが選択された場合に、上記第２の装置に保管されているページのデータを読み出して被画像形成媒体上に画像形成する第１の画像形成手段と、
上記選択手段により上記第２の装置に保管されているリンク先のページにおける現在のページが選択された場合に、上記第２の装置に保管されているリンク先を示す情報に基づいて、上記第１の装置を介して上記ネットワーク上に公開されているページが最適化されたデータを取り込んで被画像形成媒体上に画像形成する第２の画像形成手段と、を具備する、
ことを特徴とするネットワークシステム。
【発明の詳細な説明】
【０００１】
【発明の属する技術分野】
この発明は、インターネット上で公開されているホームページ及びＷｅｂページの閲覧が可能な携帯電話などの携帯端末がインターネットに接続する際のゲートウエイ装置と、このゲートウエイ装置を含むネットワークシステムに関する。
【０００２】
【従来の技術】
近年、携帯電話などの携帯端末が広く普及してきている。このような携帯端末では、小型の液晶表示装置などで構成される表示部を有し、携帯電話通信機能の他、電子メールの送受信機能、あるいはインターネット接続機能を有するものがある。
【０００３】
一方、インターネット上では、多くのｗｅｂサーバ装置がさまざまなページを提供している。これらのページは、パーソナルコンピュータのディスプレイ上で表示させることを想定して作成されているものが多く、携帯電話などの携帯端末用のページを提供しているものは少ない。また、上記のような携帯端末用のページ以外のページは、テキストデータに比べて非常に大きなデータ量からなる画像データなどを用いて作成されていることが多い。
【０００４】
このため、携帯電話などの携帯端末でインターネット上の携帯端末用のページ以外のページを閲覧するには、以下のような問題点がある。
【０００５】
１．携帯端末には小さい表示部しか設けられていないため、パーソナルコンピュータのディスプレイを想定して作成されたページは、携帯端末の表示部では表示しにくい。
【０００６】
２．携帯端末に設けられているメモリの容量は小さいため、データ量の大きな画像データを用いて作成されているページは、受信しただけでメモリが不足してしまうことがある。
【０００７】
３．携帯電話などの携帯端末では、送受信したデータ量に応じて課金される料金システムが適用される場合が多く、データ量の大きなページのデータを受信すると、通信トラフィックが増大し、通信速度の低下あるいは通信コストの増大がおこる。さらに、上記１、２のような理由で、表示しきれないページのデータを携帯端末に取り込んでも、通信料金が無駄になる。
【０００８】
【発明が解決しようとする課題】
上記したように、インターネット上の提供されているページは、携帯端末では表示しにくく、データ量の大きいページを携帯端末に取り込むと、通信トラフィックが増大し、無駄な通信コストが発生するという問題点を解決するもので、インターネット上に提供されているページを携帯端末で閲覧する場合に、通信トラフィックの増大を抑えて無駄な通信コストを発生させずに、携帯端末には表示可能な情報のみを表示させることができ、携帯電話を利用してインターネット上の情報を有効活用できるゲートウエイサーバ装置とネットワークシステムを提供することを目的とする。
【０００９】
また、携帯端末では表示できないページの内容を画像形成装置で印刷してユーザに提供することができ、さらに、ページの内容を画像形成装置で印刷する場合に、携帯端末でアクセスした時点でのページの画像を印刷したり、携帯端末でアクセスしたページの最新の内容を印刷することでき、ユーザの要望に沿った画像を提供できるネットワークシステムを提供できる。
【００１０】
【課題を解決するための手段】
この発明のゲートウエイ装置は、携帯端末からの要求に応じてネットワーク上に公開されているページを受信する受信手段と、この受信手段により受信したページのデータから上記携帯端末へ送信するデータのみを抽出する抽出手段と、この抽出手段により抽出したデータを上記携帯端末へ転送する転送手段と、上記携帯端末から上記受信手段により受信したページの保管が指示された場合、上記ページのデータを予め設定されている保管先に保管させる制御手段とを有する。
【００１１】
この発明のゲートウエイ装置は、携帯端末からのネットワーク上のリンク先を示す情報に応じてネットワーク上に公開されているページを受信する受信手段と、この受信手段により受信したページのデータから上記携帯端末へ送信するデータのみを抽出する抽出手段と、この抽出手段により抽出したデータを上記携帯端末へ転送する転送手段と、上記携帯端末から上記受信手段により受信したページの保管が指示された場合、上記ページのデータと、上記ページのリンク先を示す情報とを予め設定されている保管先に保管させる制御手段とを有する。
【００１２】
この発明のゲートウエイ装置は、携帯端末からのネットワーク上のリンク先を示す情報に応じてネットワーク上に公開されているページを受信する受信手段と、この受信手段により受信したページのデータから上記携帯端末へ送信するデータのみを抽出する抽出手段と、この抽出手段により抽出したデータを上記携帯端末へ転送する転送手段と、上記携帯端末から上記受信手段により受信したページの保管が指示された場合、上記ページのデータを所定のサイズに収まるように最適化する処理手段と、この処理手段により最適化されたページのデータと、上記ページのリンク先を示す情報とを予め設定されている保管先に保管させる制御手段とを有する。
【００１３】
この発明のネットワークシステムは、携帯端末と接続する機能とネットワークと接続する機能とを有する第１の装置と、この第１の装置とのデータ通信が可能な第２の装置とを有するものにおいて、上記第１の装置は、上記携帯端末からの要求に応じてネットワーク上に公開されているページを受信する受信手段と、この受信手段により受信したページのデータから上記携帯端末へ送信するデータのみを抽出する抽出手段と、この抽出手段により抽出したデータを上記携帯端末へ転送する転送手段と、上記携帯端末から上記受信手段により受信したページの保管が指示された場合、予め設定されている保管先を指定するとともに、上記ページのデータを上記第２の装置へ送信する送信手段とを有し、上記第２の装置は、上記送信手段により上記第１の装置から送信されたページのデータを受信した際に、上記第１の装置により指定された保管先に上記ページのデータを保管する保管手段を有する。
【００１４】
この発明のネットワークシステムは、携帯端末と接続する機能とネットワークと接続する機能とを有する第１の装置と、この第１の装置とのデータ通信が可能な第２の装置とを有するものにおいて、上記第１の装置は、上記携帯端末からのネットワーク上のリンク先を示す情報に応じてネットワーク上に公開されているページを受信する受信手段と、この受信手段により受信したページのデータから上記携帯端末へ送信するデータのみを抽出する抽出手段と、この抽出手段により抽出したデータを上記携帯端末へ転送する転送手段と、上記携帯端末から上記受信手段により受信したページの保管が指示された場合、予め設定されている保管先を指定するとともに、上記ページのデータと、上記ページのリンク先を示す情報とを上記第２の装置へ送信する送信手段とを有し、上記第２の装置は、上記送信手段により上記第１の装置から送信されたページのデータとページのリンク先を示す情報とを受信した際に、上記第１の装置により指定された保管先に上記ページのデータとページのリンク先を示す情報とを保管する保管手段を有する。
【００１５】
この発明のネットワークシステムは、携帯端末と接続する機能とネットワークと接続する機能とを有する第１の装置と、この第１の装置とのデータ通信が可能な第２の装置とを有するものにおいて、上記第１の装置は、上記携帯端末からのネットワーク上のリンク先を示す情報に応じてネットワーク上に公開されているページを受信する受信手段と、この受信手段により受信したページのデータから上記携帯端末へ送信するデータのみを抽出する抽出手段と、この抽出手段により抽出したデータを上記携帯端末へ転送する転送手段と、上記携帯端末から上記受信手段により受信したページの保管が指示された場合、上記ページのデータを所定のサイズに収まるように最適化する処理手段と、この処理手段により最適化されたページのデータと、上記ページのリンク先を示す情報とを、予め設定されている保管先を指定するとともに、上記第２の装置へ送信する送信手段とを有し、上記第２の装置は、上記送信手段により上記第１の装置から送信された上記処理手段により最適化されたページのデータとページのリンク先を示す情報とを受信した際に、上記第１の装置により指定された保管先に上記ページのデータとページのリンク先を示す情報とを保管する保管手段を有する。
【００１６】
この発明のネットワークシステムは、携帯端末と接続する機能とネットワークと接続する機能とを有する第１の装置と、この第１の装置とのデータ通信が可能な第２の装置と、上記第１の装置あるいは上記第２の装置と接続されている画像形成装置とを有するものにおいて、上記第１の装置は、上記携帯端末からの要求に応じてネットワーク上に公開されているページを受信する受信手段と、この受信手段により受信したページのデータから上記携帯端末へ送信するデータのみを抽出する抽出手段と、この抽出手段により抽出したデータを上記携帯端末へ転送する転送手段と、上記携帯端末から上記受信手段により受信したページの保管が指示された場合、予め設定されている保管先を指定するとともに、上記ページのデータを上記第２の装置へ送信する送信手段とを有し、上記第２の装置は、上記送信手段により上記第１の装置から送信されたページのデータを受信した際に、上記第１の装置により指定された保管先に上記ページのデータを保管する保管手段を有し、上記画像形成装置は、上記第２の装置に保管されているページのデータを読み出して被画像形成媒体上に画像形成する画像形成手段を有する。
【００１７】
この発明のネットワークシステムは、携帯端末と接続する機能とネットワークと接続する機能とを有する第１の装置と、この第１の装置とのデータ通信が可能な第２の装置と、上記第１の装置あるいは上記第２の装置と接続されている画像形成装置とを有するものにおいて、上記第１の装置は、上記携帯端末からのネットワーク上のリンク先を示す情報に応じてネットワーク上に公開されているページを受信する受信手段と、この受信手段により受信したページのデータから上記携帯端末へ送信するデータのみを抽出する抽出手段と、この抽出手段により抽出したデータを上記携帯端末へ転送する転送手段と、上記携帯端末から上記受信手段により受信したページの保管が指示された場合、予め設定されている保管先を指定するとともに、上記ページのデータと、上記ページのリンク先を示す情報とを上記第２の装置へ送信する送信手段とを有し、上記第２の装置は、上記送信手段により上記第１の装置から送信されたページのデータとページのリンク先を示す情報とを受信した際に、上記第１の装置により指定された保管先に上記ページのデータとページのリンク先を示す情報とを保管する保管手段を有し、上記画像形成装置は、上記第２の装置に保管されているページのデータ、あるいはリンク先のページにおける現在のページを選択する選択手段と、この選択手段により上記第２の装置に保管されているページのデータが選択された場合に、上記第２の装置に保管されているページのデータを読み出して被画像形成媒体上に画像形成する第１の画像形成手段と、上記選択手段により上記第２の装置に保管されているリンク先のページにおける現在のページが選択された場合に、上記第２の装置から保管されているリンク先を示す情報に基づいて、上記ネットワーク上に公開されているページのデータを取り込んで被画像形成媒体上に画像形成する第２の画像形成手段とを有する。
【００１８】
この発明のネットワークシステムは、携帯端末と接続する機能とネットワークと接続する機能とを有する第１の装置と、この第１の装置とのデータ通信が可能な第２の装置と、上記第１の装置あるいは上記第２の装置と接続されている画像形成装置とを有するものにおいて、上記第１の装置は、上記携帯端末からのネットワーク上のリンク先を示す情報に応じてネットワーク上に公開されているページを受信する受信手段と、この受信手段により受信したページのデータから上記携帯端末へ送信するデータのみを抽出する抽出手段と、この抽出手段により抽出したデータを上記携帯端末へ転送する転送手段と、上記受信手段により受信したページのデータを所定のサイズに収まるように最適化する処理手段と、上記携帯端末から上記受信手段により受信したページの保管が指示された場合、上記処理手段により最適化されたページのデータと、上記ページのリンク先を示す情報とを、予め設定されている保管先を指定するとともに、上記第２の装置へ送信する送信手段とを有し、上記第２の装置は、上記送信手段により上記第１の装置から送信された上記処理手段により最適化されたページのデータとページのリンク先を示す情報とを受信した際に、上記第１の装置により指定された保管先に上記ページのデータとページのリンク先を示す情報とを保管する保管手段を有し、上記画像形成装置は、上記第２の装置に保管されているページのデータ、あるいはリンク先のページにおける現在のページを選択する選択手段と、この選択手段により上記第２の装置に保管されているページのデータが選択された場合に、上記第２の装置に保管されているページのデータを読み出して被画像形成媒体上に画像形成する第１の画像形成手段と、上記選択手段により上記第２の装置に保管されているリンク先のページにおける現在のページが選択された場合に、上記第２の装置に保管されているリンク先を示す情報に基づいて、上記第１の装置を介して上記ネットワーク上に公開されているページが最適化されたデータを取り込んで被画像形成媒体上に画像形成する第２の画像形成手段とを有する。
【００１９】
【発明の実施の形態】
以下、この発明の実施の形態について図面を参照して説明する。
【００２０】
図１は、本発明の実施の形態に係るネットワークシステムの概略構成を示す図である。図１に示すように、ネットワークシステムは、携帯電話（携帯端末）１、ゲートウエイサーバ（ゲートウエイ装置、第１の装置）２、インターネットバインダ（第２の装置）３、デジタル複合機（ＭＦＰ、画像形成装置）４、ユーザＰＣ５、及びＷｅｂサーバ６などから構成されている。
【００２１】
上記携帯電話１は、ゲートウエイサーバ２を介してインターネット（ネットワーク）に接続する。これにより、携帯電話１は、ゲートウエイサーバ２を介してインターネット上のｗｅｂサーバが提供するホームページ、あるいはｗｅｂページ（以下、ページと称する）を閲覧できるようになっている。
【００２２】
なお、本実施の形態では、携帯端末として携帯電話１について説明するが、これに限らず、携帯端末としては、携帯用メール端末あるいはＰＤＡ（ｐｅｒｓｏｎａｌ  ｄｉｇｉｔａｌ  ａｓｓｉｓｔａｎｔ）などのインターネットに接続可能な携帯端末であっても同様に実施できる。
【００２３】
上記ゲートウエイサーバ２は、パーソナルコンピュータ（ＰＣ）などで構成されるゲートウエイ装置である。このゲートウエイサーバ２は、上記携帯電話１と接続する機能と、インターネット６に接続する機能を有している。これにより、携帯電話１がゲートウエイサーバ２を介してインターネットに接続することが可能になる。
【００２４】
上記インターネットバインダ３は、パーソナルコンピュータで構成される装置である。このインターネットバインダ３は、インターネット経由でゲートウエイサーバ２、ＭＦＰ４、ユーザＰＣ５などの機器とデータを送受信を行う。また、このインターネットバインダ３は、インターネット経由で受信したファイルなどのデータを保管（記憶）するようになっている。
【００２５】
上記ＭＦＰ４は、印刷装置（プリンタ）及び画像読み取り装置（スキャナ）を有するデジタル複写機であり、公衆回線への接続機能を有する。このＭＦＰ４は、公衆回線への接続機能によりインターネットに接続し、インターネット経由でデータの送受信を行なう。また、ＭＦＰ４は、タッチパネル内蔵の液晶表示装置で構成されるディスプレイ４３を有している。
【００２６】
上記ユーザＰＣ５は、ユーザ用のパーソナルコンピュータであり、インターネットに接続する機能を有する。
【００２７】
上記ｗｅｂサーバ６は、インターネット上に存在するサーバ装置であり、インターネット上にホームページあるいはｗｅｂページを提供（公開）する。これらのページは、ＨＴＭＬ（ｈｙｐｅｒ  ｔｅｘｔ  ｍａｒｋｕｐ  ｌａｎｇｕａｇｅ）で記述されたファイルなどで構成される。各ページには、ページを指定するためのＵＲＬ（ｕｎｉｆｏｒｍ  ｒｅｓｏｕｒｃｅ  ｌｏｃａｔｏｒ）が与えられている。インターネットに接続している機器は、このようなＵＲＬを指定することによりページをダウンロードして閲覧するようになっている。
【００２８】
また、ｗｅｂサーバ６では、ｗｅｂサーバ６の運用者によってＵＲＬで指定される各ページが更新される場合がある。従って、インターネット上で過去にダウンロードしたページが、常に、ＵＲＬにおける現在（最新）のページと一致するとは限らない。このため、ダウンロードしたページを閲覧する場合は、ダウンロードしたページを一旦保管しておき、この保管したページを読み出せば閲覧できるが、ＵＲＬにおける現在のページを閲覧する場合は、ＵＲＬを指定して新たにページをダウンロードして閲覧する必要がある。
【００２９】
次に、上記携帯電話１の構成について説明する。
図２は、携帯電話１の概略構成を示すブロック図である。図２に示すように、携帯電話１は、制御部１１、表示部１２、操作部１３、メモリ１４、受話部１５、送話部１６、通信制御部１７、アンテナ部１８、及び電源部１９を有している。
【００３０】
上記制御部１１は、携帯電話１全体を制御するものである。上記表示部１２は、液晶表示器で構成され、種々のメッセージが表示される。上記操作部１３は、テンキー、カーソルキー等の種々のキーで構成され、操作指示を入力する。
【００３１】
上記メモリ１４は、制御プログラムやユーザ情報などの予め設定されているデータを記憶する記憶部、及び各種の情報や制御データなどを一時的に格納する記憶部などから構成されている。上記受話部１５は、電話機能により通話を行う場合に、音声を出力するスピーカである。上記送話部１６は、電話機能により通話を行う場合に、音声を入力するマイクである。
【００３２】
上記通信制御部１７は、上記アンテナ部１８による外部機器との通信を制御する。上記電源部１９は、バッテリーなどで構成され、携帯電話１の各部に電源を供給するようになっている。
【００３３】
次に、上記ゲートウエイサーバ２の構成について説明する。
図３は、ゲートウエイサーバ２の概略構成を示す図である。図３に示すように、ゲートウエイサーバ２は、コントローラ２１、メモリ２２、ハードディスクドライブ（ＨＤＤ）２３、モデム２４、携帯電話インターフェース２５などを有している。
【００３４】
上記コントローラ２１は、ＣＰＵが使用されている。このコントローラ２１は、ゲートウエイサーバ２の全体の動作を司り、予め格納されてあるプログラムによって動作する。メモリ２２は、上記コントローラ２１が動作するにあたり、各種の情報や制御データなどを一時的に格納するために使用される。
【００３５】
上記ＨＤＤ２３は、ゲートウエイサーバ２が動作するにあたり、各種のデータを格納したり、予め設定される情報などが格納されている。また、このＨＤＤ２３は、後述するデータベース２３ａ、２３ｂ、２３ｃを有している。上記モデム２４は、インターネットに接続するためのインターフェースである。上記携帯電話インターフェース２５は、携帯電話と接続するためのインターフェースである。
【００３６】
次に、上記インターネットバインダ３の構成について説明する。
図４は、インターネットバインダ３の概略構成を示す図である。図４に示すように、インターネットバインダ３は、コントローラ３１、メモリ３２、ハードディスクドライブ（ＨＤＤ）３３、モデム３４などを有している。
【００３７】
上記コントローラ３１は、ＣＰＵが使用されている。このコントローラ１０１は、インターネットバインダ３の全体の動作を司り、予め格納されてあるプログラムによって動作する。上記メモリ３２は、上記コントローラ３１が動作するにあたり、各種の情報や制御データなどを一時的に格納するために使用される。ＨＤＤ３３は、ファイルなどの各種のデータを記憶するものである。このＨＤＤ３３は、後述するデータベース３３ａ、３３ｂ、３３ｃ、３３ｄ、３３ｅを有している。上記モデム３４は、インターネットに接続するためのインターフェースである。
【００３８】
次に、デジタル複合機４の概略構成について説明する。
図５は、上記デジタル複合機４の概略構成を示す図である。図５に示すように、デジタル複合機４は、コントローラ４１、メモリ４２、表示部４３、操作部４４、スキャナ４５、画像処理部４６、プリンタ４７、モデム４８などを有し、上記各構成要素は、コントローラ４１を中心にバス４９を介して接続されている。
【００３９】
上記コントローラ４１は、ＣＰＵが使われている。このコントローラ４１は、このデジタル複合機４の全体の動作を司り、予め格納されてあるプログラムによって動作する。上記メモリ４２は、前記コントローラ４１が動作するにあたり、各種の情報や制御データなどを一時的に格納するために使用される。上記表示部４３は、タッチパネル４３ａ内蔵の液晶表示装置で構成されるディスプレイである。上記操作部４４は、テンキー、カーソルキー、及びコピースタートキーなどのハードキーで構成されている。この操作部４４としてのハードキーと、上記タッチパネル４３ａとによりデジタル複合機４における種々の操作が行われる。
【００４０】
上記スキャナ４５は、原稿を光学的に走査して、原稿を画像データに変更する。上記画像処理部４６は、画像データに各種の処理を行う。上記プリンタ４７は、画像データを用紙に印刷する。プリンタ４７には、電子写真式、インクジェット式等の各種方式が考えられるが、本実施の形態では、電子写真式を使用しているものとする。モデム４８は、インターネットに接続するためのインターフェースである。
【００４１】
なお、上記したネットワークの構成では、ゲートウエイサーバ２とインターネットバインダ３が別々に設けらているようにしたが、ゲートウエイサーバ２内にインターネットバインダ３が保管するデータの保管先を設けて、ゲートウエイサーバがインターネットバインダ３の機能を持つようにしても良い。
【００４２】
次に、ゲートウエイサーバ２で管理されるデータベースについて説明する。  図６は、ゲートウエイサーバ２のＨＤＤ２３で記憶されるアドレス情報データベース２３ａの構成例を示す図である。このアドレス情報データベース２３ａは、アカウント名に対応するユーザの情報と、このユーザが所持している携帯電話のアドレスを示すものである。
【００４３】
図６に示すように、アドレス情報データベース２３ａは、アカウント名、携帯電話のアドレス、パスワード、ユーザＩＤなどの項目から構成されている。
【００４４】
上記アカウント名の項目には、各ユーザに与えられているアカウント名が記録される。上記携帯電話のアドレスの項目には、上記アカウント名に対応するユーザの携帯電話のアドレスが記録される。
【００４５】
上記パスワードの項目には、ユーザに与えられているパスワードが記録される。上記ユーザＩＤの項目には、ユーザに与えられているユーザＩＤが記録される。このユーザＩＤは、上記アカウント名と同一であっても良いし、上記アカウント名と異なるものであっても良い。
【００４６】
図７は、ゲートウエイサーバ２のＨＤＤ２３で記憶される保管先指定用データベース２３ｂの構成例を示す図である。この保管先指定用データベース２３ｂは、アカウント名に対して予め指定されているデータの保管先を示すものである。
【００４７】
図７に示すように、保管先指定用データベース２３ｂは、アカウント名、インターネットバインダのフォルダ名の項目から構成されている。
【００４８】
上記アカウント名の項目には、各ユーザに与えられているアカウント名が記録される。上記インターネットバインダのフォルダ名の項目には、上記アカウント名に対応して指定されている上記インターネットバインダ３のＨＤＤ３３内のフォルダ名が記録されている。このフォルダ名は、上記アカウント名に対応するユーザ宛のメールやダウンロードしたページの画像データなどをインターネットバインダ３に保管する際の保管場所を示すものである。
【００４９】
図８は、ゲートウエイサーバ２のＨＤＤ２３で記憶される受信データ用データベース２３ｃの構成例を示す図である。この受信データ用データベース２３ｃは、ゲートウエイサーバ２がダウンロードしたページなどの受信データの履歴を記録するものである。
【００５０】
図８に示すように、受信データ用データベース２３ｃは、シリアル番号、アカウント名、ページデータファイル、ＵＲＬ、転送テキストファイルなどの項目から構成されている。
【００５１】
上記シリアル番号の項目には、シリアル番号としての通し番号が記録される。このシリアル番号は、対応する各項目の記録順に付与される番号である。上記アカウント名の項目には、各ユーザに与えられているアカウント名が記録される。
【００５２】
上記ページデータファイルの項目には、ダウンロードしたページを画像データとして保管する際のページデータのファイルが記録される。上記ＵＲＬの項目には、上記ページデータファイルの項目に記録されているページのインターネット上のＵＲＬが記録される。
【００５３】
上記転送テキストファイルの項目には、上記ゲートウエイサーバ２がダウンロードしたページから抽出したテキストデータのみからなるテキストファイルが記録される。このファイルは、テキストデータのみで構成される。このテキストファイルは、携帯電話１からゲートウエイサーバ２を介してページを閲覧する際に、上記携帯電話１へ転送されるデータのファイルである。
【００５４】
次に、インターネットバインダ３で管理されるデータベースについて説明する。
図９は、インターネットバインダ３のＨＤＤ３３で記憶されるユーザ情報データベース３３ａの構成例を示す図である。このユーザ情報データベース３３には、外部機器からインターネットバインダ３に接続する際に、ユーザを認証するために用いられるデータが記録されている。
【００５５】
図９に示すように、上記ユーザ情報データベース３３ａは、アカウント名、フルネーム、パスワード、ユーザＩＤなどの項目から構成されている。
【００５６】
上記アカウント名の項目には、各ユーザに与えられているアカウント名が記録される。上記フルネームの項目には、ユーザの氏名（フルネーム）が記録される。上記パスワードの項目には、ユーザに与えられているパスワードが記録されている。上記ユーザＩＤの項目には、アカウント名に対応するユーザのユーザＩＤが記録されている。
【００５７】
図１０は、インターネットバインダ３のＨＤＤ３３で記憶される保管先データベース３３ｂの構成例を示す図である。この保管先データベース３３ｂは、アカウント名に対して予め設定されているフォルダ名が記録されている。
【００５８】
図１０に示すように、上記保管先データベースは、アカウント名、フォルダ名などの項目から構成されている。
【００５９】
上記アカウント名の項目には、各ユーザに与えられているアカウント名が記録される。上記フォルダ名の項目には、上記アカウント名に対応するユーザのデータを保管するフォルダ名が記録される。このフォルダには、例えば、ユーザによる携帯電話の操作に基づいてゲートウエイサーバ２がダウンロードしたページの画像データなどが記録される。
【００６０】
図１１は、インターネットバインダ３のＨＤＤ３３で記憶される保管ファイル情報データベース３３ｃの構成例を示す図である。この保管ファイルデータベース３３ｃは、ＨＤＤ３３の各フォルダに保管されているデータの内容を示すものである。
【００６１】
図１１に示すように、上記保管ファイル情報データベース３３ｃは、シリアル番号、アカウント名、フォルダ名、ページデータファイル、ＵＲＬ、ページデータファイルｏｒＵＲＬなどの項目から構成されている。
【００６２】
上記シリアル番号の項目には、シリアル番号としての通し番号が記録される。このシリアル番号は、対応する各項目の記録順に付与される番号である。上記アカウント名の項目には、各ユーザに与えられているアカウント名が記録される。上記フォルダ名の項目には、上記アカウント名に対応するユーザが受信したデータを記録する上記ＨＤＤ３３内のフォルダ名が記録されている。
【００６３】
上記ページデータファイルの項目には、アカウント名に対応するユーザの操作に基づいてゲートウエイサーバ２がダウンロードしたページの画像データのファイルが記録される。上記ＵＲＬの項目には、上記ページデータファイルの項目に記録されているページのインターネット上のＵＲＬが記録されている。上記ページデータファイルｏｒＵＲＬの項目には、ユーザがページデータを利用したか、あるいはＵＲＬを利用したかを示す情報が記録される。
【００６４】
上記ユーザ情報データベース３３ａ、保管先データベース３３ｂ、及び保管ファイル情報データベース３３ｃは、インターネットバインダ３がページの画像データおよびページのＵＲＬを管理するためのデータベースである。
【００６５】
図１２は、インターネットバインダ３のＨＤＤ３３で記憶されるプリンタ情報データベース３３ｄの構成例を示す図である。このプリンタ情報データベース３３ｄは、インターネットバインダ３が使用可能なプリンタを判別するためのものである。さらに、このプリンタ情報データベース３３ｄでは、使用可能なプリンタが有している印刷などの機能が示されている。
【００６６】
図１２に示すように、上記プリンタ情報データベース３３ｄは、使用可能なプリンタ名、プリンタのアドレス、プリンタ能力などの項目から構成されている。
【００６７】
上記使用可能なプリンタ名の項目には、使用可能なプリンタ名が記録される。上記プリンタのアドレスの項目には、上記使用可能なプリンタ名の項目に記録されているプリンタのネットワーク上の場所を示すアドレスが記録されている。上記プリンタ能力の項目には、上記使用可能なプリンタ名の項目に記録されているプリンタの能力を示す情報が記録されている。例えば、プリンタの能力としては、カラーかモノクロか、印刷の解像度、印刷可能な用紙サイズなどの情報が記録される。
【００６８】
図１３は、インターネットバインダ３のＨＤＤ３３で記憶される印刷履歴データベース３３ｅの構成例を示す図である。この印刷履歴データベース３３ｅは、インターネットバインダ３で保管しているデータの印刷履歴を示すものである。従って、この印刷履歴データベース３３ｅには、印刷が実行されるごとに印刷の履歴を示すデータが記録される。
【００６９】
図１３に示すように、上記印刷履歴データベース３３ｅは、アカウント名、プリンタ名、利用した時刻などの項目から構成されている。
【００７０】
上記アカウント名の項目には、プリンタを使用したユーザに対して与えられているアカウント名が記録される。上記プリンタ名の項目には、印刷に利用されたプリンタ名が記録される。上記利用した時刻の項目には、印刷を実行した時刻（プリンタを利用した時刻）が記録される。
【００７１】
次に、携帯電話からｗｅｂサーバが提供するページにアクセスする場合について説明する。
図１４は、インターネット上でｗｅｂサーバ６が提供しているページ７０の例を示す図である。この図１４に示すページ７０は、バナー１  ７１、バナー２  ７２、テキスト７３、広告バナー７４など構成されている。このようなインターネット上で提供されているページ７０は、パーソナルコンピュータのディスプレイなどでの表示を想定して作成されている。
【００７２】
このようなページは、例えば、ＨＴＭＬ（ｈｙｐｅｒ  ｔｅｘｔ  ｍａｒｋｕｐ  ｌａｎｇｕａｇｅ）で作成されている。上記バナー１  ７１、バナー２  ７２、及び広告バナー７４は、広告などが掲載されるものであり、画像情報として作成されている。上記テキスト７３は、キャラクタコードで作成される。
【００７３】
また、上記のようなページは、インターネット上のＵＲＬが与えられており、ＵＲＬを指定することによりｗｅｂサーバ６が提供しているページを閲覧できるようになっている。
【００７４】
ここで、ユーザが携帯電話１によりＵＲＬを指定し、上記ゲートウエイサーバ２を介してｗｅｂサーバ６が提供するページにアクセスしたとする。この場合、携帯電話１の表示部１２には、指定されたＵＲＬのページ全体を表示することができない。このため、ゲートウエイサーバ２では、アクセスしたＵＲＬのページからテキストデータのみを抽出し、携帯電話１へ転送する。これにより、携帯電話１では、指定されたＵＲＬのページにおけるテキストデータのみを表示部１２に表示する。
【００７５】
例えば、携帯電話１からゲートウエイサーバ２を介して、図１４に示すようなページ７０のＵＲＬにアクセスすると、ゲートウエイサーバ２は、ページ７０からテキストデータとしてのテキスト７３のみを抽出し、携帯電話１へ転送する。また、ゲートウエイサーバ２は、ダウンロードしたページのデータからテキストデータが抽出されなかった場合、携帯電話へ本文なしという旨の通知を転送する。
【００７６】
すなわち、ゲートウエイサーバ２は、携帯電話１から指定されたＵＲＬのページをダウンロード中に、画像データとテキストデータと判別し、テキストデータの抽出を行う。この場合、ゲートウエイサーバ２は、例えば、ｇｉｆ、ｊｐｇ等の画像データの形式で受信されるデータを画像データと判別し、文字コード等の文字データをベースとしたデータをテキストデータと判別するようになっている。
【００７７】
上記のように、ゲートウエイサーバ２は、携帯電話１からＵＲＬが指定された場合、指定されたＵＲＬのページからテキストデータのみを抽出して携帯電話１へ転送する。これにより、携帯電話で表示しきれないデータを転送することがなく、無駄な通信トラフィックを発生させることなく、携帯電話には表示可能なデータのみを効率良く表示させることができる。
【００７８】
次に、携帯電話１でアクセスしたページをＭＦＰ４で印刷する場合について説明する。
図１６及び図１７は、図１４に示すようなページ７０をＭＦＰ４により印刷した場合の印刷例を示す図である。
【００７９】
ここで、ユーザが携帯電話１で所望のＵＲＬを指定し、上記ゲートウエイサーバ２を介してｗｅｂサーバ６が提供するページにアクセスしたとする。すると、上記のように、ゲートウエイサーバ２は、指定されたＵＲＬのページにおけるテキストデータのみを携帯電話１に転送する。これにより、携帯電話１の表示部１２には、図１５に示すように、指定されたＵＲＬのページにおけるテキストデータのみが表示される。
【００８０】
さらに、ユーザが携帯電話１にてページの保管を指定すると、携帯電話１は、ゲートウエイサーバ２にページの保管を要求する。この要求に応じてゲートウエイサーバ２では、携帯電話から保管が指示されたページの保管処理を行う。このゲートウエイサーバ２は、携帯電話からのページの保管要求を受けると、ダウンロードしたページの画像データと、ページのＵＲＬとをインターネットバインダ３に保管させる。この際、ダウンロードしたページの画像データは、所定の大きさに効率的に収まるように最適化された画像データに変換されてインターネットバインダ３に保管されるようになっている。
【００８１】
この保管処理によりインターネットバインダ３に保管されたページの画像データ（格納時のページの画像）、あるいはＵＲＬで指定されるページの画像（現在のページの画像）は、ＭＦＰ４で読み出して用紙に印刷することができるようになっている。
【００８２】
図１６及び図１７は、図１４に示すようなページをＭＦＰ４により印刷する場合の印刷例を示す図である。
【００８３】
例えば、図１４に示すようなページ７０をＡ４あるいはＢ５サイズで印刷することを想定している場合、ページ７０は、図１６及び図１７に示すようにＡ４あるいはＢ５などの所定のサイズに収まるようにページの画像が変換（最適化）される。この最適化された画像がＭＦＰ４にてＡ４あるいはＢ５サイズの用紙に印刷される。
【００８４】
すなわち、ゲートウエイサーバ２は、携帯電話からＵＲＬにアクセスしたユーザがページ全体を保管するように指示を受けると、ダウンロードしたページの画像データ及び上記ページのＵＲＬをインターネットバインダ３に保管する。その後、ユーザがＭＦＰ４にてインターネットバインダ３に保管したページの画像あるいは現在のページの画像を印刷しようとした場合、ＭＦＰ４の操作により保管されているページの画像あるいはＵＲＬに基づく現在のページの画像を印刷する。
【００８５】
これにより、ＭＦＰ４が印刷するページの画像データは、ゲートウエイサーバ２により所定のサイズに合わせて最適化されている。すなわち、インターネットバインダに保管されるページの画像は、ゲートウエイサーバ２によりインターネットバインダ３に保管する時点で最適化される。また、ＵＲＬに基づいて現在のページの画像を印刷する場合、ＭＦＰ４で印刷指示された時点でゲートウエイサーバ２がＵＲＬからページをダウンロードし、このダウンロードしたデータをＭＦＰ４に送信する時点でゲートウエイサーバ２により最適化される。
【００８６】
上記のように、最適化される所定のサイズは、本実施の形態では、予め設定されているサイズとするが、これに限らず、ユーザが携帯電話１あるいはＭＦＰ４で指定するサイズに最適化するようにしても良い。
【００８７】
図１６及び図１７は、図１４に示すようなページを所定のサイズに合わせて最適化した場合の例を示す図である。上記ゲートウエイサーバ２は、ページ内の構成要素を拡大縮小したり、並べ替えたりすることによりレイアウトを変更して所定のサイズに効率よく配置されるように画像データが生成される。
【００８８】
図１４に示す例では、バナー１  ７１、バナー２  ７２及び広告バナー７４は、画像データでダウンロードされ、テキスト７３は文字コードなどのキャラクターデータとしてダウンロードされる。
【００８９】
このような画像データからなる構成要素とテキストデータからなる構成要素とを有するページを最適化する場合、ゲートウエイサーバ２は、画像データの構成要素については、縮小あるいは拡大して所定のサイズに収まるように効率よく配置する。また、ページのテキストデータについては、配置する領域を決定し、その領域内にテキスト文書を配置する。
【００９０】
例えば、図１４に示すページ７０の画像を図１６及び図１７に示すように最適化する場合、ゲートウエイサーバ２は、バナー１  ７１の横方向の長さが所定のサイズの領域Ｐ１における横方向の長さに収まるように変倍する。この変倍したバナー１  ７１ａは、所定のサイズの領域Ｐ１における上方の位置に配置される。
【００９１】
さらに、ゲートウエイサーバ２は、上記バナー１  ７１ａを配置した状態の領域Ｐ１においてバナー２  ７２の縦方向の長さが収まるようにバナー２  ７２を変倍する。この変倍したバナー２  ７２ａは、上記バナー１  ７１ａを配置した状態の領域Ｐ１の左側に配置される。
【００９２】
次に、ゲートウエイサーバ２は、上記バナー１  ７１ａ及び上記バナー２  ７２ａを配置した状態の領域Ｐ１において、テキスト７３を表示する領域を決める。テキストを表示する領域は、バナー２  ７２ａの右側に確保される。この場合、所定サイズの領域Ｐ１には収まりきらない部分については、所定サイズの領域Ｐ２に配置される。これにより、所定サイズの領域Ｐ１には、１頁目の画像データとして上記バナー１  ７１ａ、上記バナー２  ７２ａ、及びテキスト７３ｂを配置した画像が生成される。また、所定サイズの領域Ｐ１に収まりきらなかったテキスト７３ｃは、２頁目の画像データとして所定サイズの領域Ｐ２における上方の位置に配置される。
【００９３】
最後に、ゲートウエイサーバ２は、広告バナー７４の配置位置を決める。この広告バナー７４は、テキスト７３ｃを配置した状態の領域Ｐ２に配置される。ここで、ゲートウエイサーバ２は、広告バナー  ７４の横方向の長さが所定サイズにおける横方向の長さに収まるように変倍する。この変倍した広告バナー７４ａは、上記テキスト７３ｃのすぐ下側の位置に配置される。これにより、所定サイズの領域Ｐ２には、テキスト７３ｃと広告バナー７４が配置される。
【００９４】
上記のように、ゲートウエイサーバ２は、携帯電話でページの保管が指示された場合、ＭＦＰ４で使用される用紙サイズに合わせて最適化したページの画像をインターネットバインダ３に保管する。ＭＦＰでは、保管されている最適化された画像を読み出して印刷すようにしたものである。これにより、ＭＦＰ４は、携帯電話でアクセスしたページを最適な形式で印刷した印刷画像をユーザに提供できる。
【００９５】
また、ゲートウエイサーバ２は、ＭＦＰ４からＵＲＬが指定された場合、現在のＵＲＬのページをダウンロードし、このダウンロードしたページをＭＦＰ４で使用される用紙サイズに合わせて最適化してＭＦＰ４へ送信する。ＭＦＰでは、この最適化されたページの画像をゲートウエイサーバ２から受信して印刷するようにしたものであるこれにより、ＭＦＰから指定されるＵＲＬのページ画像を最適な形式で印刷した印刷画像をユーザに提供できる。
【００９６】
次に、携帯電話１の表示部１２に表示される表示例について説明する。
図１８は、携帯電話１からゲートウエイサーバ２を介してインターネットにログインする際に表示部１２に表示されるログイン画面の表示例を示す図である。図１８に示すログイン画面では、ユーザＩＤの入力欄、パスワードの入力欄及び「ＯＫ」の選択欄などが表示されている。
【００９７】
このような表示画面において、ユーザは、ユーザＩＤとパスワードとを上記操作部１３の操作により入力する。この時、上記ユーザＩＤ及び上記パスワードとして入力されたデータは、それぞれの入力欄に表示される。これらのユーザＩＤ及びパスワードが満足するものであれば、ユーザは、「ＯＫ」を選択する。これにより、携帯電話１は、ゲートウエイサーバ２を介してインターネットへの接続処理を開始する。
【００９８】
図１９は、携帯電話１がゲートウエイサーバ２にログインした後、携帯電話１からインターネット上のｗｅｂサーバ６が提供するページにアクセスする場合のアドレス（ＵＲＬ）入力画面を表示した例である。
【００９９】
図１９に示す表示例では、アドレス（ＵＲＬ）の入力欄と「ＯＫ」の選択欄とが表示されている。このような表示画面において、ユーザは、アドレスを上記操作部１３の操作により入力する。この時、上記アドレスとして入力されたＵＲＬは、アドレスの入力欄に表示される。この入力欄に表示されたアドレスが満足するものであれば、ユーザは、「ＯＫ」を選択する。これにより、携帯電話１は、ゲートウエイサーバ２を介してＵＲＬへの接続処理を開始する。
【０１００】
図２０は、アドレス入力画面で指定されたアドレスのページを携帯電話１の表示部１２に表示した例を示す図である。
この図２０に示す表示例では、アドレス入力画面で指定されたページのテキストのみを表示部１２に表示している。
【０１０１】
図２０に示すような表示画面においてユーザが「保管」の選択欄７５を指示すると、ゲートウエイサーバ２は、ダウンロードしたページを所定のサイズに合わせて最適化する。この最適化された画像データとＵＲＬを示す情報とをインターネットバインダ３に保管させる。
【０１０２】
この際、インターネットバインダ３内の保管先は、上記保管先指定テーブル２３ｂによりユーザ毎に予め設定されているものとする。また、ここでは、保管先のフォルダ名を予め設定されているフォルダで固定するようにしたが、携帯電話１からユーザが保管先のフォルダを指定するようにしても良い。この場合、携帯電話からゲートウエイサーバ２には、保管する情報の保管指示とともに、保管先のフォルダ名が指示される。このような指示を受けたインターネットバインダ３では、予め設定されているフォルダに関わらずに指定されたフォルダにゲートウエイサーバ２から受信したデータを保管するようにする。
【０１０３】
次に、インターネットバインダ３に保管されたページの画像あるいはＵＲＬにおける現在のページの画像をＭＦＰ４で印刷する場合について説明する。
インターネットバインダ３に保管されたページの画像あるいはＵＲＬにおける現在のページの画像は、ＭＦＰ４で印刷することができるようになっている。ここでは、ＭＦＰ４の操作手順に従ってページの画像あるいはＵＲＬにおける現在のページの画像を印刷する際の動作について説明する。
【０１０４】
図２１〜図２３は、添付ファイルをＭＦＰ４で印刷する場合のＭＦＰ４の表示部４３の表示例を示す図である。
まず、ＭＦＰ４にてインターネットバインダ３に保管したページの画像あるいはＵＲＬにおける現在のページの画像を印刷する場合、ユーザは、タッチパネル４３ａ及び操作部４４の操作によりユーザＩＤとパスワードとを入力する。
【０１０５】
図２１は、ユーザＩＤ及びパスワードの入力画面の表示例を示すものである。この図２１に示す入力画面では、表示部４３にユーザＩＤとパスワードの入力欄が表示されるとともに、「戻る」キー及び「ログイン」キーがタッチパネル４３ａにより表示されている。このような入力画面が表示されている状態で、ユーザは、ユーザＩＤとパスワードを入力する。そして、入力したユーザＩＤとパスワードが満足するものであった場合、ユーザは、タッチパネル４３ａにより「ログイン」キーをタッチする。
【０１０６】
すると、ＭＦＰ４のコントローラ４１は、モデム４８によりユーザＩＤとパスワードとをログインデータとしてインターネットバインダ３に送信する。インターネットバインダ３では、上記ユーザ情報テーブル３３ａに基づいて受信したログインデータによるユーザの認証処理を行う。このユーザの認証処理によりユーザを認証すると、インターネットバインダ３は、ＭＦＰ４との接続を確立させる。ＭＦＰ４との接続が確立したインターネットバインダ３は、ＭＦＰ４から送信されたユーザＩＤに基づいて上記テーブル３３ｃによりページデータファイル及びＵＲＬを読み出す。インターネットバインダ３は、読み出したページデータファイルのファイル名とＵＲＬとをＭＦＰ４へ送信する。
【０１０７】
すると、ＭＦＰ４は、受信したファイル名とＵＲＬとに基づいて、図２２に示すように、印刷対象とするページを選択する選択画面（文書選択画面）を表示部４３に表示する。この選択画面では、ページのＵＲＬとページを指定するための題名としてファイル名がタッチパネル４３ａにより表示されている。ユーザは、この選択画面に表示されているページをタッチパネル４３ａにより選択し、「選択」キーをタッチする。
【０１０８】
すると、ＭＦＰ４は、図２３に示すような印刷設定画面を表示部４３に表示する。この印刷設定画面では、印刷時の種々の設定とともに、印刷対象するとページについて、格納時のページの画像を印刷するかＵＲＬに基づく現在のページの画像を印刷するかを選択するようになっている。
【０１０９】
例えば、図２３に示す印刷設定画面では、「格納時」キー８１と、「現在」キー８２とがタッチパネル４３ａにより選択できるようになっている。上記「格納時」キー８１は、ｗｅｂサーバ６からダウンロードした時点でのページの印刷を指示するものである。また、上記「現在」キー８２は、ｗｅｂサーバ６からダウンロードした時点でのページではなく、ＵＲＬに従って最新のページの印刷を指示するものである。
【０１１０】
つまり、ｗｅｂサーバ６がインターネット上に提供するページは、常に更新される可能性がある。このため、同一のＵＲＬで指定されるページであっても、実際にダウンロードした時点のページの内容と、現在のページの内容とが異なっている場合がある。例えば、ニュースや天気予報などのページは、頻繁に更新される可能性が高い。このようなページを携帯電話１でアクセスしたユーザにとっては、アクセスした時点で表示されているページを閲覧したい場合と、最も最新のページを閲覧したい場合とが両方ありうると思われる。
【０１１１】
つまり、ユーザが携帯電話１でアクセスした時点で表示されていたニュースを閲覧したい場合には、最新のページを印刷してもユーザが要望する情報が得られないことがありうるが、アクセスした時点のページを印刷するとユーザが要望する情報が得られる。
【０１１２】
また、天気予報、交通情報などようにユーザが最も最新の情報が得たい場合に、携帯電話１でアクセスした時点のダウンロードしたページを印刷しても最も最新の情報でない場合があるうるが、ＵＲＬに基づいて最新のページを印刷するようにすれば、ユーザは、最も最新の情報を得ることができるようになる。
【０１１３】
上記のように、携帯電話１でｗｅｂサーバ６が提供するページにアクセスした後に、ＭＦＰ４で上記ページを印刷する場合、アクセスした時点でのページを印刷するか、最新のページを印刷するかを選択するようにしたものである。これにより、ユーザの要望と一致するページの内容を印刷することができる。
【０１１４】
次に、携帯電話１、ゲートウエイサーバ２、及びインターネットバインダ３間で送受信されるデータについて説明する。
【０１１５】
図２４は、携帯電話１、ゲートウエイサーバ２、及びインターネットバインダ３間で送受信されるデータを説明するための図である。ここでは、携帯電話１で指定されたＵＲＬと、このＵＲＬのページの情報をインターネットバインダ３に保管させる動作について説明する。
【０１１６】
まず、ユーザは、携帯電話１の図示しないメニュー画面によりインターネットへの接続機能を選択する。すると、携帯電話１は、インターネットに接続するためにゲートウエイサーバ２へ接続要求を行う。このように、携帯電話１が接続を要求すると（ステップＳ１）、ゲートウエイサーバ２は、携帯電話１の表示部１２に表示させる図１８に示すようなログイン画面を携帯電話１へ転送する（ステップＳ２）。
【０１１７】
携帯電話１は、ゲートウエイサーバ２からのログイン画面を受信すると、図１８に示すようなログイン画面を表示部１２に表示し、ユーザに対してユーザＩＤ及びパスワードの入力を促す。このログイン画面に対してユーザがユーザＩＤ及びパスワードを入力すると、携帯電話１は、入力されたユーザＩＤ及びパスワードに基づいてログインデータをゲートウエイサーバ２へ送信する（ステップＳ３）。
【０１１８】
ゲートウエイサーバ２は、携帯電話１からのログインデータを受信すると、受信したユーザＩＤとパスワードとが上記アドレス情報データベース２３ａに記録されているユーザＩＤ及びパスワードと一致するか否かによりログインの許可不許可を判断する。
【０１１９】
この判断により携帯電話１のログインを許可すると判断すると、ゲートウエイサーバ２は、携帯電話１の表示部１２に表示させる図１９に示すようなアドレス入力画面を携帯電話１へ転送する（ステップＳ４）。
【０１２０】
携帯電話１は、ゲートウエイサーバ２からのアドレス入力画面を受信すると、図１９に示すようなアドレス入力画面を表示部１２に表示し、ユーザに対してアドレス（ＵＲＬ）の入力を促す。このアドレス入力画面に対してユーザがＵＲＬを入力すると、携帯電話１は、入力されたＵＲＬをゲートウエイサーバ２へ送信する（ステップＳ５）。
【０１２１】
ゲートウエイサーバ２は、携帯電話１からのＵＲＬを受信すると、このＵＲＬのページにアクセスし、このページをダウンロードする。ゲートウエイサーバ２は、ページをダウンロードする際、ダウンロードしてくるページのデータからテキストデータのみを抽出し、テキストデータのファイルを生成する。ページ全体からのテキストデータの抽出を終了すると、ゲートウエイサーバ２は、携帯電話１へ抽出したテキストデータを表示内容として送信する（ステップＳ６）。この際、ページからテキストデータが全く抽出できなかった場合、ゲートウエイサーバ２は、本文なしという旨のメッセージを表示内容として携帯電話１へ送信する。
【０１２２】
携帯電話１は、ゲートウエイサーバ２から表示内容を受信すると、受信した表示内容を、図２０に示すように、表示部１２に表示する。また、図２０に示すような表示状態において「保管」の選択欄７５を選択することによりユーザがページの保管を指示すると、携帯電話１は、ゲートウエイサーバ２へページの保管指示を送信する（ステップＳ７）。
【０１２３】
ゲートウエイサーバ２では、携帯電話１からの保管指示を受信すると、ページをインターネットバインダ３に保管する処理を開始する。ゲートウエイサーバ２は、まず、ダウンロードしたページを所定のサイズに応じた最適化を行う。ゲートウエイサーバ２は、最適化されたページの画像データを生成すると、保管を指示したユーザに対する認証要求をインターネットバインダ３に送信する（ステップＳ８）。この際、上記ステップＳ３でログインデータとして携帯電話１から送信されたユーザＩＤ及びパスワードがユーザ認証のためのデータとしてゲートウエイサーバ２からインターネットバインダ３に送信される。
【０１２４】
インターネットバインダ３は、ゲートウエイサーバ２から受信したユーザＩＤ及びパスワードに基づいてユーザの認証処理を行う。このユーザ認証処理は、ゲートウエイサーバ２から受信したユーザＩＤ及びパスワードが上記ユーザ情報データベース３３ａに記録されている内容と一致するか否かにより行われる。このユーザ認証処理によりユーザが認証された場合、インターネットバインダ３は、ユーザが認証されたことを示す通知をゲートウエイサーバ２へ送信する（ステップＳ９）。
【０１２５】
ゲートウエイサーバ２は、インターネットバインダ３からユーザ認証がＯＫである旨の通知を受けると、ｗｅｂページ及びＵＲＬの保管指示をインターネットバインダ３へ送信する（ステップＳ１０）。この保管指示としては、上記保管先指定用データベース２３ｂに基づいて保管先のフォルダを指定する情報が送信される。
【０１２６】
インターネットバインダ３は、添付ファイルの保管指示を受けると、上記保管先データベース３３ｂに記録されているアカウント名及びフォルダ名に基づいて、指定された保管先に添付ファイルが保管可能か否かを判断する。この判断により指定された保管先に添付ファイルが保管可能であると判断すると、インターネットバインダ３は、添付ファイルの保管を許可（ＯＫ）する通知をゲートウエイサーバ２へ送信する（ステップＳ１１）。
【０１２７】
ゲートウエイサーバ２は、インターネットバインダ３から保管を許可する通知を受信すると、最適化したページの画像データ及びＵＲＬを示す情報からなる保管情報をインターネットバインダ３へ転送する（ステップＳ１２）。ゲートウエイサーバ２は、保管情報の転送が終了すると、保管情報の転送終了を示す通知をインターネットバインダ３へ送信する（ステップＳ１３）。
【０１２８】
インターネットバインダ３は、ゲートウエイサーバ２からの保管情報を転送されている際、指定されたフォルダに最適化されたページの画像データ及びＵＲＬを示す情報を記憶していく。そして、ゲートウエイサーバ２からの保管情報の転送終了の通知を受信すると、インターネットバインダ３は、上記保管ファイル情報データベース３３ｃの各項目を記録し、保管情報の保管完了を示す通知をゲートウエイサーバ２へ送信する。
【０１２９】
上記のように、携帯電話でｗｅｂサーバがインターネット上に提供しているページにアクセスした際に、携帯電話へはテキストデータのみを表示させ、さらに、ユーザ操作に基づく携帯電話からのページの保管指示に応じて予め設定されているフォルダにページの画像と、ページのＵＲＬを示す情報とを保管するようにしたものである。
【０１３０】
これにより、携帯電話にページ全体のデータを送信することなく、ページから携帯電話で表示可能なテキストデータのみを抽出して送信し、携帯電話に表示させる。さらに、携帯電話からの指示に応じてページの閲覧あるいは印刷が可能なようにページの情報を保管することができる。従って、携帯電話で利用できない無駄なデータを携帯電話へ送信することなく、携帯電話で利用可能なデータのみを送信でき、通信の無駄がない。また、携帯電話からの指示に応じてページの情報を保管しておくことができ、利便性が向上する。
【０１３１】
次に、インターネットバインダ３とＭＦＰ４とのデータの送受信について説明する。
【０１３２】
図２５は、インターネットバインダ３とＭＦＰ４との間で送受信されるデータについて説明するための図である。ここでは、ユーザがインターネットバインダに保管しているページの画像データあるいはＵＲＬに基づく現在のページを印刷する際の動作について説明する。
【０１３３】
まず、インターネットバインダ３に保管したページの画像データあるいはＵＲＬに基づく現在のページを印刷する場合、ユーザは、ＭＦＰ４において図２１に示すようなログイン画面よりログイン操作を行う。このログイン画面より入力されたログインデータは、インターネットバインダ３へ送信される（ステップＳ２１）。
【０１３４】
インターネットバインダ３は、ＭＦＰ４から送信されたログインデータに基づいてユーザ認証処理を行う。これにより、ユーザを認証した際、インターネットバインダ３は、保管ファイル情報データベース３３ｃに基づいて、ユーザが保管したページの画像データを示すファイル名及びＵＲＬを示す情報を文書情報としてＭＦＰ４に送信する（ステップＳ２２）。
【０１３５】
ＭＦＰ４は、インターネットバインダ３から文書情報を受信すると、受信した文書情報に基づいて、図２２に示すような印刷するページ（文書）を選択させるための文書選択画面を表示部４３に表示する。この文書選択画面より、ユーザは、印刷するページを選択する。
【０１３６】
すると、ＭＦＰ４は、図２３に示すような印刷設定画面を表示部４３に表示する。この印刷設定画面により、ユーザは、インターネットバインダ３に保管した時点でのページの画像データの印刷を選択する「格納時」キー８１か、ＵＲＬにおける現在のページの画像の印刷を選択する「現在」キー８２かを選択した後、「印刷」キーを指示する。
【０１３７】
すると、ＭＦＰ４は、選択されたページ（文書）を示す情報と、保管されているページの画像を印刷するかＵＲＬにおける現在のページの画像を印刷するかを示す情報と有する文書選択指示をインターネットバインダ３へ送信する（ステップＳ２３）。インターネットバインダ３は、ＭＦＰ４からの文書選択指示を受信すると、選択されたページの印刷データをＭＦＰ４へ送信する。これにより、ＭＦＰ４は、インターネットバインダ３から印刷データとして受信したページを印刷する。
【０１３８】
また、上記例では、現在のページの画像を印刷する場合に、ゲートウエイサーバ２がＵＲＬに基づいてページのデータをダウンロードし、このダウンロードしたページの最適化を行うようにしたが、ＭＦＰ４がＵＲＬに基づいてページのデータをダウンロードして最適化の処理を行うようにしても良い。
【０１３９】
上記のように、携帯電話でアクセスしたページの画像を予め設定されているフォルダに保管しておき、画像形成装置で保管したページを印刷するようにしたものである。これにより、携帯電話でページ全体が表示できなくても、画像形成装置でページの画像を印刷でき、この印刷した画像によりユーザはページ全体を閲覧できる。
【０１４０】
また、ＭＦＰで印刷するページの画像を印刷するサイズに合わせて最適化するようにしたため、ページの内容をより見やすい形でユーザに提供することができる。
【０１４１】
また、携帯電話でアクセスしたページの情報とページのアドレスとを保管しておき、この保管した時点でのページの内容を印刷するか、上記ページの現在のページを印刷するかを選択できるようにしたものである。
【０１４２】
これにより、保管した時点でのページの内容か、あるいは保管したページの最新の内容をユーザの選択に応じて印刷することができ、ユーザの利便性が向上する。
【０１４３】
【発明の効果】
以上詳述したように、この発明によれば、インターネット上に提供されているページを携帯端末で閲覧する場合に、通信トラフィックの増大を抑えて無駄な通信コストを発生させずに、携帯端末には表示可能な情報のみを表示させることができ、携帯電話を利用してインターネット上の情報を有効活用できるゲートウエイサーバ装置とネットワークシステムを提供できる。
【０１４４】
また、携帯端末では表示できないページの内容を画像形成装置で印刷してユーザに提供することができ、さらに、ページの内容を画像形成装置で印刷する場合に、携帯端末でアクセスした時点でのページの画像を印刷したり、携帯端末でアクセスしたページの最新の内容を印刷することでき、ユーザの要望に沿った画像を提供できるネットワークシステムを提供できる。
【図面の簡単な説明】
【図１】この発明の実施の形態に係るネットワークシステムの概略構成を示す図。
【図２】携帯電話の概略構成を示すブロック図。
【図３】グループウエアサーバの概略構成を示すブロック図。
【図４】インターネットバインダの概略構成を示すブロック図。
【図５】デジタル複合機（ＭＦＰ）の概略構成を示すブロック図。
【図６】アドレス情報データベースの構成例を示す図。
【図７】保管先指定用データベースの構成例を示す図。
【図８】受信データ用データベースの構成例を示す図。
【図９】ユーザ情報データベースの構成例を示す図。
【図１０】保管先データベースの構成例を示す図。
【図１１】保管ファイル情報データベースの構成例を示す図。
【図１２】プリンタ情報データベースの構成例を示す図。
【図１３】印刷履歴データベースの構成例を示す図。
【図１４】ｗｅｂサーバがインターネット上で提供しているページの例を示す図。
【図１５】図１４のページの内容を携帯電話に表示させる場合の表示例を示す図。
【図１６】図１４のページを所定のサイズに最適化した場合の１頁目の例を示す図。
【図１７】図１４のページを所定のサイズに最適化した場合の２頁目の例を示す図。
【図１８】携帯電話の表示部による表示例を示す図。
【図１９】携帯電話の表示部による表示例を示す図。
【図２０】携帯電話の表示部による表示例を示す図。
【図２１】ＭＦＰの表示部による表示例を示す図。
【図２２】ＭＦＰの表示部による表示例を示す図。
【図２３】ＭＦＰの表示部による表示例を示す図。
【図２４】携帯電話、ゲートウエイサーバ、及びインターネットバインダの間で送受信されるデータを説明するための図。
【図２５】インターネットバインダとＭＦＰとの間で送受信されるデータを説明するための図。
【符号の説明】
１…携帯電話
２…グループウエアサーバ
３…インターネットバインダ
４…デジタル複合機（ＭＦＰ）
５…ユーザＰＣ
１１…制御部
１２…表示部
１３…操作部
１７…通信制御部
１８…アンテナ
２１、３１…コントローラ
２３、３３…ハードディスクドライブ（ＨＤＤ）
２３ａ…メール情報データベース
２３ｂ…保管先指定用データベース
２３ｃ…受信メールデータベース
３３ａ…ユーザ情報データベース
３３ｂ…保管先データベース
３３ｃ…保管ファイル情報データベース
３３ｄ…プリンタ情報データベース
３３ｅ…印刷履歴データベース
２４、３４…モデム
２５…携帯電話インターフェース
【図１】
0004445116.tif 000002
【図２】
0004445116.tif 000003
【図３】
0004445116.tif 000004
【図４】
0004445116.tif 000005
【図５】
0004445116.tif 000006
【図６】
0004445116.tif 000007
【図７】
0004445116.tif 000008
【図８】
0004445116.tif 000009
【図９】
0004445116.tif 000010
【図１０】
0004445116.tif 000011
【図１１】
0004445116.tif 000012
【図１２】
0004445116.tif 000013
【図１３】
0004445116.tif 000014
【図１４】
0004445116.tif 000015
【図１５】
0004445116.tif 000016
【図１６】
0004445116.tif 000017
【図１７】
0004445116.tif 000018
【図１８】
0004445116.tif 000019
【図１９】
0004445116.tif 000020
【図２０】
0004445116.tif 000021
【図２１】
0004445116.tif 000022
【図２２】
0004445116.tif 000023
【図２３】
0004445116.tif 000024
【図２４】
0004445116.tif 000025
【図２５】
0004445116.tif 000026